(57)【特許請求の範囲】
【請求項１】
記録媒体に対して情報の読み取り及び／または書き込みを行うヘッドと、
該ヘッドの移動をガイドするガイドシャフトと、
該ガイドシャフトの端部をシャーシ上の所定高さに調整する調整機構と、
を備えてなる記録再生装置において、
前記調整機構は、
前記ガイドシャフトの軸方向と直交する方向に貫通された孔と、
前記シャーシに形成されたネジ孔と、
前記ガイドシャフトの孔を挿通して前記シャーシのネジ孔に螺入される高さ調整ネジと、
前記ガイドシャフトを前記調整ネジの頭部に付勢する付勢手段と、
前記シャーシ上に起立し、前記ガイドシャフトの延在方向と直交する側方から前記ガイドシャフトの端部に当接する位置決め部と、を備えてなり、
前記付勢手段は、
前記シャーシ上に載置される水平部と、前記ガイドシャフトを前記シャーシから離間する方向に付勢するように前記水平部よりＶ字状に折り曲げられた第１付勢部と、前記ガイドシャフトの端部を前記位置決め部に押圧する第２付勢部とが一体に形成された板バネであることを特徴とする記録再生装置。
【請求項２】
記録媒体に対して情報の読み取り及び／または書き込みを行うヘッドと、
該ヘッドの移動をガイドするガイドシャフトと、
該ガイドシャフトの端部をシャーシ上の所定高さに調整する調整機構と、
を備えてなる記録再生装置において、
前記調整機構は、
前記ガイドシャフトの軸方向と直交する方向に貫通されたネジ孔と、
前記シャーシに形成された孔と、
前記シャーシの孔を挿通して前記ガイドシャフトのネジ孔に螺入される高さ調整ネジと、
前記ガイドシャフトを前記シャーシから離間する方向に付勢する付勢手段と、
前記シャーシ上に起立し、前記ガイドシャフトの延在方向と直交する側方から前記ガイドシャフトの端部に当接する位置決め部と、を備えてなり、
前記付勢手段は、
前記シャーシ上に載置される水平部と、前記ガイドシャフトを前記シャーシから離間する方向に付勢するように前記水平部よりＶ字状に折り曲げられた第１付勢部と、前記ガイドシャフトの端部を前記位置決め部に押圧する第２付勢部とが一体に形成された板バネであることを特徴とする記録再生装置。
【請求項３】
前記請求項１または２記載の記録再生装置であって、
前記第１付勢部は、前記ガイドシャフトの延在方向に延在形成された延在部の両端より水平方向に突出して前記シャーシ上に載置され、
前記第２付勢部は、少なくとも前記ガイドシャフトの両端近傍を含む複数箇所に設けられたことを特徴とする記録再生装置。
【請求項４】
前記請求項２記載の記録再生装置であって、
前記シャーシの前記孔の周辺に前記調整ネジの頭部が挿入される凹部を設けたことを特徴とする記録再生装置。
【発明の詳細な説明】
【０００１】
【発明の属する技術分野】
本発明は記録再生装置に係り、特に記録媒体に対して情報の読み取り及び／または書き込みを行うヘッドの高さ調整が行えるよう構成された記録再生装置に関する。
【０００２】
【従来の技術】
例えばディスク状記録媒体が装着される記録再生装置においては、レーザ式光学式ピックアップからなる光学式ヘッドがディスク半径方向に移動して記録媒体に対して情報の読み取り及び／または書き込みを行う。この種の記録再生装置では、ディスク状記録媒体が載置されたトレーを装置内に挿入すると、トレー内のディスク状記録媒体がターンテーブルにクランプされ、続いて光学式ヘッドがガイドシャフトにガイドされてディスク半径方向にシーク動作する。
【０００３】
この種のディスク状記録媒体が装着される記録再生装置では、ディスク状記録媒体に高密度に記録された情報（ピットパターン）を正確に読み取るため、ディスク状記録媒体に対する光学式ヘッドのシーク動作位置と、ターンテーブルに装着されたディスク状記録媒体との距離及び傾きが一定となるよう光学式ヘッドとディスク状記録媒体との相対角度を調整する必要がある。
【０００４】
すなわち、ディスク装置の組み立てラインにおいては、ターンテーブル及び光学式ヘッド等の組み付けが終了した後、ターンテーブルに位置調整用基準ディスクをクランプさせた状態で基準ディスクからの反射光を光学式ヘッドにより検出する。その際、光学式ヘッドで検出された基準ディスクからの反射光の角度ずれを測定器（オートコリメータ）で測定しながらレーザ光の角度が規定値となるように光学ヘッドの取付角度及び基準ディスクに対する距離（高さ位置）及び傾きを調整する。
【０００５】
基準ディスクに対する光学式ヘッドの高さ位置は、光学式ヘッドをガイドするガイドシャフトの高さ位置を調整することにより所定位置に保持される。
【０００６】
このようなガイドシャフトの高さ位置調整機構を有する従来の記録再生装置としては、例えば、特開平１１−２０３８０１号公報にみられるように、ガイドシャフトとシャーシとの間にコイルバネを介在させ、シャーシに調整ネジをねじ込みながら調整ネジの頭部をガイドシャフトの上部に当接させてガイドシャフトの高さ位置を調整する構成のものがある。
【発明が解決しようとする課題】
しかしながら、上記公報に記載された構成の記録再生装置においては、丸棒材からなるガイドシャフトの外周に側方から調整ネジが当接し、調整ネジの頭部がガイドシャフトの外周を上方から押圧してシャーシとの間に介在するコイルバネを圧縮させる構成であり、ガイドシャフトの周辺に螺入された調整ネジの締め付け具合によってコイルバネの圧縮量が変化してシャーシに対するガイドシャフトの保持高さが調整されるため、ガイドシャフト調整機構の構成が大型化してしまい、調整機構の設置スペースが大きくなってしまい記録再生装置の小型化に対応できないという問題があった。
そこで、本発明は上記課題を解決した記録再生装置を提供することを目的とする。
【０００７】
【課題を解決するための手段】
上記課題を解決するため、本発明は以下のような特徴を有する。
上記請求項１記載の発明は、調整機構が、ガイドシャフトの軸方向と直交する方向に貫通された孔と、シャーシに形成されたネジ孔と、ガイドシャフトの孔を挿通してシャーシのネジ孔に螺入される高さ調整ネジと、ガイドシャフトを調整ネジの頭部に付勢する付勢手段と、シャーシ上に起立し、ガイドシャフトの延在方向と直交する側方からガイドシャフトの端部に当接する位置決め部と、を備えてなり、付勢手段は、シャーシ上に載置される水平部と、ガイドシャフトをシャーシから離間する方向に付勢するように水平部よりＶ字状に折り曲げられた第１付勢部と、ガイドシャフトの端部を位置決め部に押圧する第２付勢部とが一体に形成された板バネであるので、部品点数を削減できると共に、第１付勢部と第２付勢部とを同時に作用させることが可能になり、組立作業効率を向上させることができ、さらに設置スペースを小さくして小型化に対応できると共に、薄型化も図れる。
【０００８】
上記請求項２記載の発明は、調整機構が、ガイドシャフトの軸方向と直交する方向に貫通されたネジ孔と、シャーシに形成された孔と、シャーシの孔を挿通してガイドシャフトのネジ孔に螺入される高さ調整ネジと、ガイドシャフトをシャーシから離間する方向に付勢する付勢手段と、シャーシ上に起立し、ガイドシャフトの延在方向と直交する側方からガイドシャフトの端部に当接する位置決め部と、を備えてなり、付勢手段は、シャーシ上に載置される水平部と、ガイドシャフトをシャーシから離間する方向に付勢するように水平部よりＶ字状に折り曲げられた第１付勢部と、ガイドシャフトの端部を位置決め部に押圧する第２付勢部とが一体に形成された板バネであるので、請求項１と同様に、部品点数を削減できると共に、第１付勢部と第２付勢部とを同時に作用させることが可能になり、組立作業効率を向上させることができ、さらに設置スペースを小さくして小型化に対応できると共に、薄型化も図れる。
【０００９】
上記請求項３記載の発明は、第１付勢部が、ガイドシャフトの延在方向に延在形成された延在部の両端より水平方向に突出して前記シャーシ上に載置され、第２付勢部が、少なくともガイドシャフトの両端近傍を含む複数箇所に設けられたため、ガイドシャフトの延在方向で安定的に高さ調整することが可能になる。
【００１０】
上記請求項４記載の発明は、シャーシの孔の周辺に調整ネジの頭部が挿入される凹部を設けたものであり、調整ネジの頭部がシャーシから突出せず、薄型化を図ることができる。
【発明の実施の形態】
以下図面と共に本発明の実施の形態について説明する。
図１は本発明になる記録再生装置の一実施例としてのＣＤ−ＲＯＭドライブ装置の斜視図である。図２はトレーが引き出された状態を示すディスク装置を示す平面図である。
図１乃び図２に示されるように、記録再生装置としてのＣＤ−ＲＯＭドライブ装置１（以下「装置」と称する）は、ノート型パソコン（図示せず）の筐体に内蔵される内蔵形の装置である。
【００１１】
この装置１は、大略、ディスク（図１中、一点鎖線で示す）を向かい入れるためのトレー２と、トレー２を摺動自在に支持するトレー摺動機構４と、トレー２に設けられた光学式ヘッド部５と、載置されたディスク（ＣＤ−ＲＯＭ）を回転駆動するターンテーブル６と、トレー２がディスク装着位置に移動したときトレー２をロックするロック機構８とよりなる。
【００１２】
図１は天板９を外してトレー２が装置内に収納されたディスク装着位置に移動した状態を示し、図２は同じく天板９を外してトレー２が装置外に引き出されたディスク交換位置に移動した状態を示す。
【００１３】
このトレー２は、ディスクの一部がトレー２からはみ出るようにディスク外径よりも横幅寸法が小さくなるように形成されており、手動操作によりＡ，Ｂ方向に摺動してディスク交換位置又はディスク装着位置に至る。
【００１４】
そのため、装置１には、トレー２をＡ，Ｂ方向に駆動するための駆動機構（モータ及び伝達機構等よりなる）が設けられてなく、その分部品点数が減少しているため、小型化及び薄型化が図られている。
【００１５】
１０はシャーシで、上記各機構を収納する収納部１０ａと、トレー２からはみ出したディスクを保護するためにはみ出たディスクの下方を覆うカバー部１０ｂとよりなる。尚、カバー部１０ｂの下方は、空間であり、例えば装置１が組み付けられるノート型パソコン内の他の機器が配設されるようになる。
【００１６】
１１は前面ベゼルで、トレー２の前端に固定され、トレー２と一体的にＡ，Ｂ方向に摺動する。この前面ベゼル１１の中央には、トレー２を引き出す際にロック機構８によるロックを解除させるためのスイッチ釦１２が設けられている。
【００１７】
トレー２は、ディスクを向かい入れるための空間を形成するディスク対向面２ａと、ディスク対向面２ａに穿設された光学式ヘッド及びターンテーブル用の開口２ｂとを有する。
【００１８】
ディスク対向面２ａは、シャーシ１０の収納部１０ａを覆うように横幅寸法がディスク外径よりも小さくなっており、ディスクの約２／３をカバーできるように形成されている。従って、図１に示すように、ディスクは右側の周縁部がトレー２のディスク対向面２ａから側方にはみ出す。
【００１９】
そのため、ディスクを取り出す際は、ディスク対向面２ａからはみ出たディスクの周縁部を把持することができるので、ディスクを把持するための凹部をトレー２に設ける必要がないばかりか、トレー２の右側方全体がディスクを把持するための空間となる。また、前述したようにシャーシ１０もトレー２の横幅寸法に対応して、収納部１０ａの横幅寸法が小さくなっており、トレー２からはみ出したディスクを保護するためのカバー部１０ｂが収納部１０ａから側方に突出している。
【００２０】
図２中、一点鎖線で示すように、ディスクの一部がトレー２のディスク対向面２ａからはみ出すようにトレー２が形成されているため、右側におけるディスク把持方向が制限されず、トレー２からはみ出したディスクの周縁部をどこでも把持してディスクをトレー２から容易に取り出すことができる。
【００２１】
ここで、トレー２上に搭載された記録再生ユニット２１について説明する。
図３は記録再生ユニット２１の底面図である。
図３に示されるように、記録再生ユニット２１は、トレー２の上方に固着されるベース（請求項に記載されたシャーシに相当する）２２と、ディスク状記録媒体（図示せず）がクランプされるターンテーブル６と、ターンテーブル６を駆動するディスクモータ２３と、ディスクモータ２３を支持するモータベース２４と、ディスク状記録媒体に記録された情報を読み取る光学式ヘッド５と、光学式ヘッド５の移動をガイドする一対のガイドシャフト２５，２６と、光学式ヘッド５をガイドシャフト２５，２６に沿って移動させる駆動機構２７とからなる。そして、一方のガイドシャフト２６は、後述する調整機構３２により両端の高さ位置及び傾きを調整可能に保持されている。他方のガイドシャフト２５は、後述するように一端がベース２２に固定され、他端が高さ位置を調整可能に保持されている。従って、光学式ヘッド５をガイドする一対のガイドシャフト２５，２６は、３点で高さ及び傾きを調整されるように取り付けられる。
【００２２】
駆動機構２７は、ガイドシャフト２５と同一方向に延在するように支持されたリードスクリュウ２８と、ギヤ機構２９及び光学式ヘッド駆動モータ３０が取り付けられている。そして、光学式ヘッド部５は、リードスクリュウ２８のねじ部に係合するため、光学式ヘッド駆動モータ３０の回転駆動力がギヤ機構２９を介してリードスクリュウ２８に伝達されると、ガイドシャフト２５，２６のガイドされるＡ，Ｂ方向に移動する。
【００２３】
このように、ディスクを回転駆動するターンテーブル６及びターンテーブル６を駆動するターンテーブル駆動用モータ２３と光学式ヘッド部５がトレー２に一体的に設けられることによりディスクと光学式ヘッド部５との相対位置精度がトレー２の移動位置精度に影響されずに済み、ディスクの読み取り精度を向上させることができる。
【００２４】
図４はベース２２の底面図である。
図４に示されるように、ベース２２は、中央部分にディスクモータ２３及び光学式ヘッド５及びガイドシャフト２５，２６を取り付けるための開口２２ａを有する。また、ベース２２には、ガイドシャフト２５，２６の両端を保持するためのネジが挿通される小孔３５ａ〜３５ｄ、モータベース２４を固定するためのネジが挿通される小孔３６、ギヤ機構２９及び光学式ヘッド駆動モータ３０を保持する枠体３７を固定するためのネジが挿通される小孔３８が設けられている。
【００２５】
また、小孔３５ａの側方には、ガイドシャフト２５の外周に対して延在方向と直交する側方から当接して位置規制するための位置決め部３９が切起こしされている。また、小孔３５ｃ，３５ｄの近傍には、ガイドシャフト２６の外周に対して延在方向と直交する側方から当接して位置規制するための位置決め部４０，４１が切起こしされている。また、小孔３５ｂには、メネジが形成されており、ガイドシャフト２５の端部を固定できるように設けられている。
【００２６】
さらに、ベース２２の外周には、振動吸収ダンパ（図示せず）を介してトレー２に固定されるようにＣ字状に形成されて固定部４２〜４４が３箇所に設けられている。
【００２７】
図５はガイドシャフト２５，２６の形状を示す図であり、（Ａ）は正面図、（Ｂ）は底面図、（Ｃ）は軸方向からみた図である。
図５（Ａ）〜（Ｃ）に示されるように、ガイドシャフト２５，２６は、ステンレス製丸棒材からなり、両端に切欠部２５ａ，２６ａが設けられている。この切欠部２５ａ，２６ａは、軸方向からみると、半円形状になっており、軸方向と平行な平面２５ｂ，２６ｂが形成されている。
【００２８】
この平面２５ｂ，２６ｂは、後述するように上方に押圧されるための被押圧面として機能するものであり、ガイドシャフト２５，２６の外周よりも略半径寸法分だけ上方に位置するように取り付けられる。これにより、平面２５ｂ，２６ｂの下方は、後述する付勢手段が介在するためのスペースとなり、その分高さ寸法が小さくなる。
【００２９】
さらに、平面２５ｂ，２６ｂには、軸方向と直交するネジ孔２５ｃ，２６ｃが貫通している。このネジ孔２５ｃ，２６ｃは、保持手段としての調整ネジ（後述する）が螺入され、この調整ネジの締め付け具合によってガイドシャフト２５，２６の両端の高さ位置及び傾きが調整される。
【００３０】
図６はガイドシャフト２６を上方に付勢するための板バネの形状を示す斜視図である。図６に示されるように、板バネ４６は、ガイドシャフト２６の延在方向に延在する起立部（延在部）４６ａと、起立部４６ａの両端付近から水平方向に突出する水平部４６ｂ，４６ｃと、水平部４６ｂ，４６ｃより所定角度で傾斜するようにＶ字状に折曲げられた第１付勢部４６ｄ，４６ｅと、ガイドシャフト２６の外周を側方から押圧するように３箇所で起立された第２付勢部４６ｆと、水平部４６ｂ，４６ｃに設けられた取付ネジ孔４６ｇ，４６ｈとを有する。
【００３１】
第１付勢部４６ｄ，４６ｅは、ガイドシャフト２６の両端に設けられた切欠部２６ａの平面２６ｂに対向する位置に形成されており、平面２６ｂに当接して上方に付勢するように先端部分が下方に湾曲されている。また、第２付勢部４６ｆは、ガイドシャフト２６の外周を位置決め部３９〜４１に押圧してベース２２に対して所定の取り付け位置にガイドシャフト２６を保持することができる。
【００３２】
さらに、板バネ４６は、上記第１付勢部４６ｄ，４６ｅと第２付勢部４６ｆとが一体に形成されているので、部品点数が削減できると共に、一つの部材でガイドシャフト２６を上記２方向に付勢するように取り付けることができ、組み立て作業効率を高めることが可能になる。
【００３３】
ここで、ガイドシャフト２６の高さ位置及び傾きを調整する調整機構３２について説明する。
【００３４】
図７は調整機構３２の第１実施例の取付構造を示す縦断面図である。
図７に示されるように、調整機構３２は、ガイドシャフト２６の端部に螺入される調整ネジ４８と、ガイドシャフト２６の端部を付勢する板バネ４６の第１付勢部（付勢部材）４６ｄ，４６ｅとを有する。
【００３５】
ガイドシャフト２６は、外周が位置決め部３９と第２付勢部４６ｆとの間に挟持され、両端部の平面２６ｂを貫通する取付ネジ孔４６ｇ，４６ｈに下方から調整ネジ４８が螺入され、調整ネジ４８の締め込み具合で上下動する。尚、調整ネジ４８は、頭部４８ａの端面中央に四角形または六角形の係合孔（図示せず）が設けられており、この係合孔に四角形または六角形の治具を嵌合させて回動される。
【００３６】
一方、板バネ４６の第１付勢部４６ｄ，４６ｅは、ガイドシャフト２６の両端に設けられた平面２６ｂを調整ネジ４８の先端方向（上方）に付勢している。そのため、調整ネジ４８が回動操作されると、調整ネジ４８の回動位置に応じて第１付勢部４６ｄ，４６ｅが弾性変形してその傾斜角度が変化してガイドシャフト２６を昇降させることができる。すなわち、調整ネジ４８を回動操作するだけで、ベース２２に対するガイドシャフト２６の高さ位置及び傾きを任意の位置に容易に調整することができる。これにより、ベース２２に対するガイドシャフト２６の高さ位置及び傾きが調整され、その結果、光学式ヘッド５の高さ位置が調整される。
【００３７】
このように、板バネ４６の第１付勢部４６ｄ，４６ｅが、ガイドシャフト２６の両端に設けられた切欠部２６ａにより半円形状とされた平面２６ｂに当接してガイドシャフト２６を上方に付勢するため、ガイドシャフト２６の最小高さをより低くい位置に調整することが可能になり、調整機構３２の高さ寸法を低くして装置の薄型化に対応することができる。
【００３８】
また、調整ネジ４８が平面２６ｂを貫通するネジ孔２６ｃに螺入されるため、その分調整機構３２の設置スペースを小さくして小型化できると共に、調整ネジ４８の突出高さを小さくでき、薄型化にも対応することができる。
【００３９】
さらに、板バネ４６は、ガイドシャフト２６の両端に設けられた平面２６ｂを調整ネジ４８の先端方向（上方）に付勢する第１付勢部４６ｄ，４６ｅと、ガイドシャフト２６の外周をベース２２の位置決め部４０，４１に押圧してベース２２の所定取付位置にガイドシャフト２６を保持する第２付勢部４６ｆとが一体に形成されているため、組み立て作業効率を高めることが可能になる。
【００４０】
次にガイドシャフト２５の高さ位置及び傾きを調整する調整機構３３について説明する。
【００４１】
ガイドシャフト２５は、ターンテーブル６の近傍に保持される一端が調整機構３３により調整可能に保持され、他端が取付ネジ３１によりベース２２に固定される。尚、取付ネジ３１は、ガイドシャフト２５を貫通してベース２２の小孔３５ｂに螺入されてガイドシャフト２５を固定するので、付勢手段を介在させる必要がない。そのため、ガイドシャフト２５の他端には、切欠部２５ａを設けない構成とすることもできる。
【００４２】
図８はガイドシャフト２５用の調整機構３３の取付構造を示す縦断面図である。
図８に示されるように、調整機構３３は、ガイドシャフト２５の端部に螺入される調整ネジ４８と、ガイドシャフト２５の端部を付勢するコイルバネ（付勢部材）５０とを有する。
【００４３】
ガイドシャフト２５の一端は、ベース２２の小孔３５ａに下方から挿入された調整ネジ４８が平面２５ｂを貫通するネジ孔２５ｃに螺入され、調整ネジ４８の外周に巻装されたコイルバネ５０により上方に付勢される。このコイルバネ５０は、ガイドシャフト２５の一端に設けられた平面２５ｂとベース２２との間に介在しており、平面２５ｂを上方に付勢している。そのため、調整ネジ４８の締め込み具合に応じてコイルバネ５０が伸縮してガイドシャフト２５の一端を昇降させることができる。これにより、ベース２２に対するガイドシャフト２５の高さ位置及び傾きが調整され、その結果、光学式ヘッド５の高さ位置及び傾きが調整される。
【００４４】
また、調整ネジ４８が平面２５ｂを貫通するネジ孔２５ｃに螺入されるため、その分調整機構３３のスペースを小さくして小型化できると共に、調整ネジ４８の突出高さを小さくでき、薄型化にも対応することができる。
【００４５】
図９は調整機構３２の第２実施例の取付構造を示す縦断面図である。
図９に示されるように、ガイドシャフト２６は、両端部の平面２６ｂを上下方向に貫通する貫通孔２６ｃ’が設けられている。そして、ベース２２には、調整ネジ４８が螺入されるネジ孔３５ｃ’，３５ｄ’が設けられている。第２実施例では、第１付勢部４６ｄ，４６ｅの付勢力がベース２２から離間する方向、すなわち、調整ネジ４８の頭部４８ａに作用するように構成されている。
【００４６】
この第２実施例では、調整ネジ４８がガイドシャフト２６の上方から貫通孔２６ｃ’に挿通された後、ネジ孔３５ｃ’，３５ｄ’に螺入される。従って、調整ネジ４８は、頭部４８ａがガイドシャフト２６の外周に当接した状態でネジ孔３５ｃ’，３５ｄ’に螺入されると、調整ネジ４８の回動位置に応じて第１付勢部４６ｄ，４６ｅが弾性変形してガイドシャフト２６を昇降させることができる。これにより、ベース２２に対するガイドシャフト２６の高さ位置及び傾きが調整され、その結果、光学式ヘッド５の高さ位置及び傾きが調整される。
【００４７】
また、第２実施例では、前述した第１実施例と同様、板バネ４６の第１付勢部４６ｄ，４６ｅが、ガイドシャフト２６の両端に設けられた切欠部２６ａにより半円形状とされた平面２６ｂに当接してガイドシャフト２６を上方に付勢するため、ガイドシャフト２６の最小高さをより低く位置に調整することが可能になり、調整機構３２の高さ寸法を低くして装置の薄型化に対応することができる。
【００４８】
また、第２実施例では、調整ネジ４８が平面２６ｂを貫通する貫通孔２６ｃ’に挿通されるため、その分調整機構３２の設置スペースを小さくして小型化できると共に、調整ネジ４８の突出高さを小さくでき、薄型化にも対応することができる。
【００４９】
図１０は調整機構３２の第３実施例の取付構造を示す縦断面図である。
図１０に示されるように、ベース２２の底面には、調整ネジ４８の頭部４８ａが嵌合するための凹部４９が設けられている。そのため、調整ネジ４８は、頭部４８ａが凹部４９に挿入されて突出しないように取り付けられる。
【００５０】
従って、調整機構３２では、調整ネジ４８の頭部４８ａがベース２２の底面に埋設された状態となり、その分薄型化が促進される。
【００５１】
また、第３実施例では、前述した第１実施例と同様、板バネ４６の第１付勢部４６ｄ，４６ｅが、ガイドシャフト２６の両端に設けられた切欠部２６ａにより半円形状とされた平面２６ｂに当接してガイドシャフト２６を上方に付勢するため、ベース２２に対するガイドシャフト２６の最小高さをより低く位置に調整することが可能になり、調整機構３２の高さ寸法を低くして装置の薄型化に対応することができる。
【００５２】
また、第３実施例では、前述した第１実施例と同様、調整ネジ４８が平面２６ｂを貫通するネジ孔２６ｃに螺入されるため、その分調整機構３２の設置スペースを小さくして小型化できると共に、調整ネジ４８の突出高さを小さくでき、薄型化にも対応することができる。
【００５３】
尚、上記実施の形態では、光学式ヘッドを有するＣＤ−ＲＯＭ装置をディスク装置の一例として挙げたが、これに限らず、例えばＤＶＤ装置あるいは磁気ヘッドを用いて記録または再生を行う磁気記録方式の記録再生装置等にも適用できるのは勿論である。
【００５４】
【発明の効果】
上述の如く、上記請求項１記載の発明によれば、調整機構が、ガイドシャフトの軸方向と直交する方向に貫通された孔と、シャーシに形成されたネジ孔と、ガイドシャフトの孔を挿通してシャーシのネジ孔に螺入される高さ調整ネジと、ガイドシャフトを調整ネジの頭部に付勢する付勢手段と、シャーシ上に起立し、ガイドシャフトの延在方向と直交する側方からガイドシャフトの端部に当接する位置決め部と、を備えてなり、付勢手段は、シャーシ上に載置される水平部と、ガイドシャフトをシャーシから離間する方向に付勢するように水平部よりＶ字状に折り曲げられた第１付勢部と、ガイドシャフトの端部を位置決め部に押圧する第２付勢部とが一体に形成された板バネであるので、部品点数を削減できると共に、第１付勢部と第２付勢部とを同時に作用させることが可能になり、組立作業効率を向上させることができ、さらに設置スペースを小さくして小型化に対応できると共に、薄型化も図れる。
【００５５】
上記請求項２記載の発明によれば、調整機構が、ガイドシャフトの軸方向と直交する方向に貫通されたネジ孔と、シャーシに形成された孔と、シャーシの孔を挿通してガイドシャフトのネジ孔に螺入される高さ調整ネジと、ガイドシャフトをシャーシから離間する方向に付勢する付勢手段と、シャーシ上に起立し、ガイドシャフトの延在方向と直交する側方からガイドシャフトの端部に当接する位置決め部と、を備えてなり、付勢手段は、シャーシ上に載置される水平部と、ガイドシャフトをシャーシから離間する方向に付勢するように水平部よりＶ字状に折り曲げられた第１付勢部と、ガイドシャフトの端部を位置決め部に押圧する第２付勢部とが一体に形成された板バネであり、請求項１と同様に、部品点数を削減できると共に、第１付勢部と第２付勢部とを同時に作用させることが可能になり、組立作業効率を向上させることができ、さらに設置スペースを小さくして小型化に対応できると共に、薄型化も図れる。
【００５６】
上記請求項３記載の発明によれば、第１付勢部が、ガイドシャフトの延在方向に延在形成された延在部の両端より水平方向に突出して前記シャーシ上に載置され、第２付勢部が、少なくともガイドシャフトの両端近傍を含む複数箇所に設けられたため、ガイドシャフトの延在方向で安定的に高さ調整することが可能になる。
【００５７】
上記請求項４記載の発明によれば、シャーシの孔の周辺に調整ネジの頭部が挿入される凹部を設けたため、調整ネジの頭部がシャーシから突出せず、薄型化を図ることができる。
【図面の簡単な説明】
【図１】本発明になる記録再生装置の一実施例としてのＣＤ−ＲＯＭドライブ装置の斜視図である。
【図２】トレーを引き出した状態の斜視図である。
【図３】記録再生ユニット２１の底面図である。
【図４】ベース２２の底面図である。
【図５】ガイドシャフト２５，２６の形状を示す図であり、（Ａ）は正面図、（Ｂ）は底面図、（Ｃ）は軸方向からみた図である。
【図６】ガイドシャフト２６を上方に付勢するための板バネの形状を示す斜視図である。
【図７】ガイドシャフト２６用の調整機構３２の第１実施例の取付構造を示す縦断面図である。
【図８】ガイドシャフト２５用の調整機構３３の取付構造を示す縦断面図である。
【図９】調整機構３２の第２実施例の取付構造を示す縦断面図である。
【図１０】調整機構３２の第３実施例の取付構造を示す縦断面図である。
【符号の説明】
１  ＣＤ−ＲＯＭドライブ装置
２  トレー
３  サブシャーシ
４  トレー摺動機構
５  光学式ヘッド
６  ターンテーブル
２１  記録再生ユニット
２２  ベース
２３  ディスクモータ
２４  モータベース
２５，２６  ガイドシャフト
２５ａ，２６ａ  切欠部
２５ｂ，２６ｂ  平面
２５ｃ，２６ｃ  ネジ孔
２７  駆動機構
３２，３３  調整機構
４６  板バネ
４６ａ  起立部
４６ｂ，４６ｃ  水平部
４６ｄ，４６ｅ  第１付勢部
４６ｆ  第２付勢部
４６ｇ，４６ｈ  取付ネジ孔
４８  調整ネジ
２５ｃ’，２６ｃ’  貫通孔
３５ａ’〜３５ｄ’  ネジ孔
【図１】
0003755425.tif 000002
【図２】
0003755425.tif 000003
【図３】
0003755425.tif 000004
【図４】
0003755425.tif 000005
【図５】
0003755425.tif 000006
【図６】
0003755425.tif 000007
【図７】
0003755425.tif 000008
【図８】
0003755425.tif 000009
【図９】
0003755425.tif 000010
【図１０】
0003755425.tif 000011